(57)【要約】【課題】受信番組の画面表示の重要度を考慮したデコード処理の省電力制御を施し、バッテリ電源の使用可能な時間（寿命）を極力長くするようにしたビデオデコーダを提供する。【解決手段】残存容量監視部１１ｉによりバッテリ電源１の残存容量を監視し、ビデオ制御部１１ａにより、受信番組のジャンルを認識し、前記残存容量が認識したジャンルのしきい値以下になるときに省電力動作に切り替え、受信番組をフレームを間引いてデコード処理し、受信番組の画面表示の重要度を考慮したデコード処理の省電力制御を施してバッテリ電源の使用可能な時間（寿命）を極力長くする。【選択図】図２
2008124646.tif 000002
【特許請求の範囲】
【請求項１】
バッテリ電源で動作し、デジタルテレビ放送の受信番組のビデオストリームが入力されて前記ビデオストリームの各種ピクチャのフレームをデジタルの映像出力にデコード処理するビデオデコーダにおいて、前記バッテリ電源の残存容量を監視する残存容量監視手段と、前記受信番組のジャンルを認識するジャンル認識手段と、前記残存容量のジャンル別のしきい値が設定され、前記残存容量が前記ジャンル認識手段が認識したジャンルの前記しきい値以下になるときに省電力動作に切り替える動作切り替え手段と、前記省電力動作への切り替えにより前記受信番組のデコード処理するフレームを間引くデコード制御手段とを備えたことを特徴とするビデオデコーダ。
【請求項２】
ジャンル別の前記しきい値はそれぞれ複数個であり、前記省電力動作は前記残存容量が小さくなる程前記デコード処理するフレームの間引きを大きくすることを特徴とする請求項１記載のビデオデコーダ。
【請求項３】
ジャンル別の前記しきい値は書き換え自在に設定されることを特徴とする請求項１又は２に記載のビデオデコーダ。
【請求項４】
前記バッテリ電源は二次電池電源であり、ジャンル別の前記しきい値は、前記バッテリ電源の充放電の繰り返しに伴う充電量の減少に連動して低減修正されることを特徴とする請求項１乃至３のいずれか１項に記載のビデオデコーダ。
【請求項５】
前記デコード制御手段は、前記受信番組のジャンルに応じてフレームの間引き条件を可変設定することを特徴とする請求項１乃至４のいずれか１項に記載のビデオデコーダ。
【請求項６】
前記デコード制御手段は、前記受信番組の放送残り時間と前記バッテリ電源の残存容量と前記残存容量とに基づき、前記残存容量でのデコード処理が少なくとも前記放送残り時間続くようにフレームの間引き条件を設定することを特徴とする請求項１乃至４のいずれか１項に記載のビデオデコーダ。
【請求項７】
請求項１乃至６項のいずれか１項に記載のビデオデコーダを備え、前記バッテリ電源によって動作することを特徴とする携帯型デジタル放送受信機。
【発明の詳細な説明】
【技術分野】
【０００１】
本発明は、デジタルテレビ放送受信用のビデオデコーダ及び該ビデオデコーダを備えた携帯型デジタル放送受信機に関し、詳しくは、それらの新規な省電力構造に関する。
【背景技術】
【０００２】
近年、一時電池や二次電池のバッテリ電源で動作し、地上デジタル放送やデジタルハイビジョン放送、ワンセグ放送等のデジタルテレビ放送を受信する携帯型のデジタル放送受信機は、受信機単体で提供される他、携帯電話等に内蔵して提供される。
【０００３】
そして、この種のデジタル放送受信機の構成及び動作を概説すると、チューナが受信した番組（受信番組）のデジタルＲＦ信号をデジタル復調器によりベースバンドのデジタル受信情報に復調し、そのデジタル受信情報にデマルチプレクサのＭＰＥＧ２の分離処理を施し、多重化されている映像、音声、付加情報を個別のストリーム（トランスポートストリーム）に分離する。
【０００４】
更に、デジタルテレビ放送受信用のビデオデコーダ、オーディオデコーダ、データデコーダにより、各ストリームの時間情報等に基づき、各ストリームを同期をとって時間伸張等し、元のデジタルの映像、音声及び時間情報等のデータをデコードして再生する。
【０００５】
このとき、映像（主に動画）のビデオストリームはＧＯＰ（Ｇｒｏｕｐ  ｏｆ  ｐｉｃｔｕｒｅ）を単位として配信され、各ＧＯＰはＩピクチャ、Ｂピクチャ、Ｐピクチャと呼ばれる３種類のフレームを含み、ビデオデコーダは、Ｉピクチャのフレームを単独でデコード処理し、Ｂピクチャのフレームを前、後（過去、未来）のフレームから動きを予測してデコード処理し、Ｐピクチャを前（過去）のフレームから動きを予測してデコード処理する。
【０００６】
そして、ビデオデコーダによりデコードして再生された受信番組の映像のデジタルデータを、そのまま或いはアナログの信号に変換して後段の表示処理部に送り、この表示処理部により、受信番組の映像を液晶ディスプレイ、プラズマディスプレイ、ＣＲＴ等の画面表示装置に表示する。
【０００７】
ところで、バッテリ電源で動作するこの種のデジタル放送受信機は、バッテリ電源によるデコード出力の表示時間を少しでも長くするため、ビデオデコーダの省電力化を図ることが重要である。
【０００８】
そこで、バッテリ電源のレベル（電圧）が設定したしきい値に低下すると、動画のフレームをデコードする率（フレームレート）を抑制してビデオデコーダの省電力化を図り、バッテリ電源の電力消費を少なくすることが提案されている（例えば、特許文献１参照）。
【０００９】
又、バッテリ電源の残存容量が少なくなると、ビデオデコーダの動作クロックの周波数を低くしてバッテリ電源の電力消費を低減することも提案されている（例えば、特許文献２参照）。
【００１０】
又、Ｉフレームのみをデコード処理し、Ｉフレーム以外はビデオフレームデコードを行わないようにしてバッテリ電源の電力消費を低減することも提案されている（例えば、特許文献３参照）。
【００１１】
尚、本願の出願人は、特願２００６−２０３０１５号の出願により、所定種類の番組の受信中のみデコード処理するフレームを間引くようにしてビデオデコーダの消費電力を低減し、スポーツ番組等の動きの表示が重要な番組について自然な動きの画面表示を確保しつつ極力省電力化を図るようにすることを既に発明している。
【特許文献１】特開２００５−２２３４５４号公報（要約書、請求項１、段落［００１５］−［００２２］、図１、図２等）
【特許文献２】特開２００３−２０４４９３号公報（請求項８、段落［００６７］−［００７１］、図１６、図１７等）
【特許文献３】特開２００４−２３１７３号公報（要約書、請求項８、段落［００３９］−［００４０］、［００６３］、図１等）
【発明の開示】
【発明が解決しようとする課題】
【００１２】
前記特許文献１、２に記載のように、バッテリ電源の残存容量や電圧と、設定されたしきい値とを比較し、バッテリ電源のみに基づいて受信番組の映像のデコード処理を制御し、バッテリ電源のレベルが設定したしきい値のレベルに低下したときにフレームを間引いてデコード処理し、コマ送り表示や静止画表示或いは表示オフにしてビデオデコーダの電力消費を低減するのでは、受信番組の映像表示の重要度を考慮していないため、しきい値の設定によっては、以下の問題がある。
【００１３】
すなわち、「スポーツ」の受信番組のような動きが激しく映像表示の重要度が極めて高い番組については、比較的短時間にコマ送り表示等に切り替わるので不満が生じる。又、「ニュース」の受信番組のような動きが少なく映像表示の重要度が低い番組については、バッテリ電源を極力長時間使用し続けて音声だけでも聞きたいと望む要求に応えられない。更に、映像表示の重要度がそれらの中間の「ドラマ」、「バラエティ」の受信番組についても、バッテリ電源を極力長時間使用し続けて楽しみたいと望む要求に十分に応えられない。
【００１４】
ところで、バッテリー電源がリチューム電池やニッケル水素電池のような二次電池電源の場合、充放電の繰り返しによって充電量が次第に減少する。そのため、バッテリ電源の使用可能な残存容量が充放電の繰り返しによって変化し、上述のしきい値を定格の満充電量に対して適当に設定したとしても、次第に、充電量に対するしきい値の割合が変化し、上述の問題が一層大きくなる虞もある。
【００１５】
そして、上記本出願人の既出願（特願２００６−２０３０１５号）の発明の場合も、同様の問題がある。
【００１６】
次に、電力消費の多少に関わらず、バッテリ電源の現在の残存容量で少なくともその番組終了までデコード処理を継続して画面表示することが望まれることもあるが、従来は、このような要求に応えることもできない。
【００１７】
本発明は、受信番組の画面表示の重要度を考慮したデコード処理の省電力制御を施し、バッテリ電源の使用可能な時間（寿命）を極力長くすることを目的とする。その際、ユーザ等がデコード処理の省電力制御を調整可能にすることも目的とし、バッテリ電源が二次電池電源であれば、充電の繰り返しに伴う充電量の減少も考慮することも目的し、更に、バッテリ電源の残存容量で少なくとも番組終了までデコード処理を継続して画面表示できるようにすることも目的とする。
【課題を解決するための手段】
【００１８】
上記の目的を達成するために、本発明のビデオデコーダは、バッテリ電源で動作し、デジタルテレビ放送の受信番組のビデオストリームが入力されて前記ビデオストリームの各種ピクチャのフレームをデジタルの映像出力にデコード処理するビデオデコーダにおいて、前記バッテリ電源の残存容量を監視する残存容量監視手段と、前記受信番組のジャンルを認識するジャンル認識手段と、前記残存容量のジャンル別のしきい値が設定され、前記残存容量が前記ジャンル認識手段が認識したジャンルの前記しきい値以下になるときに省電力動作に切り替える動作切り替え手段と、前記省電力動作への切り替えにより前記受信番組のデコード処理するフレームを間引くデコード制御手段とを備えたことを特徴としている（請求項１）。
【００１９】
又、本発明のビデオデコーダは、ジャンル別の前記しきい値はそれぞれ複数個であり、前記省電力動作は前記残存容量が小さくなる程前記デコード処理するフレームの間引きを大きくすることを特徴としている（請求項２）。
【００２０】
そして、ジャンル別の前記しきい値は書き換え自在に設定されることが好ましい（請求項３）。前記バッテリ電源は二次電池電源であり、ジャンル別の前記しきい値は、前記バッテリ電源の充放電の繰り返しに伴う充電量の減少に連動して低減修正されることも好ましい（請求項４）。又、前記デコード制御手段は、前記受信番組のジャンルに応じてフレームの間引き条件を可変設定することが望ましい（請求項５）。更に、前記デコード制御手段は、前記受信番組の放送残り時間と前記バッテリ電源の残存容量と前記残存容量とに基づき、前記残存容量でのデコード処理が少なくとも前記放送残り時間続くようにフレームの間引き条件を設定するものであってもよい（請求項６）。
【００２１】
次に、本発明の携帯型デジタル放送受信機は、上記請求項１乃至６項のいずれか１項に記載のビデオデコーダを備え、前記バッテリ電源によって動作することを特徴としている（請求項７）。
【発明の効果】
【００２２】
請求項１の発明によれば、受信番組のデコード処理に基づくバッテリ電源の時々刻々の残存容量が残存容量監視手段によって監視され、又、受信番組のジャンルがジャンル認識手段によって認識される。
【００２３】
そして、前記残存容量が認識されたジャンルのしきい値以下に低下すると、動作切り替え手段の省電力動作の制御に基づいてデコード制御手段がデコード処理するフレームを間引く。
【００２４】
そのため、受信番組のジャンルを考慮し、「ニュース」や「天気予報」のよう画面表示の重要度が低いジャンルの番組については、前記しきい値を大きくしてバッテリ電源の長寿命化を優先し、「スポーツ」のような動きが激しく画面表示の重要度が高いジャンルの番組については、前記しきい値を小さくして極力フレームを間引かないでデコード処理を行うようにすることができ、「ドラマ」等のその他の一般的な動画のジャンルの番組については、ジャンル毎にバッテリ電源の寿命と表示画面の重要度との兼ね合いから、極力表示画面の動きが不自然にならないように個別に適当なしきい値を設定し、バッテリ電源の長寿命化を図ることができる。
【００２５】
したがって、バッテリー電源の残存容量が低下すると、受信番組の画面表示の重要度を考慮したデコード処理の省電力制御を施し、バッテリ電源の使用可能な時間（寿命）を極力長くすることができる。
【００２６】
請求項２の発明によれば、ジャンル毎にしきい値が複数個設定され、バッテリ電源の残存容量の低下にしたがってデコード処理の間引きの程度を変更して大きくし、より一層効果的にバッテリ電源の使用可能な時間（寿命）を長くすることができる。
【００２７】
請求項３の発明によれば、各ジャンルのしきい値をユーザ等が自由に設定することができるため、例えば、上述した一般的な動画の各ジャンルについて、ユーザがバッテリ電源の寿命又は表示画面の動きの状態を優先して前記しきい値を増減調整等することができる。
【００２８】
請求項４の発明によれば、バッテリ電源がリチューム電池やニッケル水素電池のような二次電池電源であって、充放電をくり返すことによってバッテリ電源の充電量（充電される容量）が次第に低下する場合に、ジャンル別のしきい値がバッテリ電源の充放電の繰り返しに伴う充電量の減少に連動して低減修正されるため、前記充電量の減少に連動して省電力動作のデコード処理に切り替わるときのバッテリ電源の残存容量も減少し、画面表示可能な時間が不用意に短くなったりせず、特に、画面表示の重要度が大きい受信番組のデコード処理性能が低下することがない。
【００２９】
請求項５の発明によれば、受信番組のジャンルに応じてフレームの間引き条件を可変設定するため、受信番組のデコードするフレームの間引き方を、デコード出力の表示画面が不自然な動きにならないように個別に設定しデコード処理性能を一層向上することができる。
【００３０】
請求項６の発明によれば、バッテリ電源の残存容量が少ないときにも、少なくとも受信番組の放送終了まではデコード処理を継続することができる。
【００３１】
請求項７の発明によれば、上述の請求項１乃至６の発明の効果を奏する省電力構成の新規な携帯型デジタル放送受信機を提供することができる。
【発明を実施するための最良の形態】
【００３２】
次に、本発明をより詳細に説明するため、その１実施形態について、図１〜図７にしたがって詳述する。
【００３３】
図１は本発明が適用される携帯型デジタル放送受信機のブロック図、図２は図１のビデオデコーダの詳細なブロック図、図３は図１のビデオデコーダの動作説明用の第１のフローチャート、図４は図３の通常のデコード処理説明用の第２のフローチャート、図５は図４の標準デコード処理説明用の第３のフローチャート、図６は図４のIフレームデコード処理説明用の第４のフローチャート、図７は図３の放送時間に合わせたデコード処理説明用の第５のフローチャートである。
【００３４】
（全体構成）
図１の携帯型デジタル放送受信機は単体又は携帯電話機等に内蔵された構成であり、駆動電源は、１次電池電源であってもよいが、利便性等を考慮してリチューム電池等の２次電池電源のバッテリ電源1からなる。
【００３５】
そして、タイマ起動の機能を備える場合、バッテリ電源1はマイクロコンピュータ（CPU）の主制御部２に常給電されると共に電源スイッチ３を介して回路部４の電源ラインに接続される。
【００３６】
そして、電源スイッチ３がオフしている間は、主制御部２が記憶装置５に保持された待機制御プログラムを実行する。
【００３７】
この待機中に電源オン操作又はタイマ起動が発生して電源スイッチ３がオンすると、バッテリ電源1が回路部４の各部に給電されて携帯型デジタル放送受信機が動作状態になる。
【００３８】
又、主制御部２は記憶装置５の主制御プログラムを実行し、操作部６又は図示省略したリモコンのチャンネル選択や画面表示、音量調節等の各種操作を受け付ける状態になる。
【００３９】
そして、受信チャンネルの選択又はタイマ設定にしたがって主制御部２が受信制御を実行し、該受信制御に基づき、アンテナ７で捕捉されたハイビジョン放送や地上デジタルテレビ放送等のデジタルテレビ放送の受信チャンネルの電波（又はケーブル伝送された受信チャンネルの電波）をデジタルチューナ８によって受信選局し、デジタルチューナ８の受信信号（デジタルＲＦ信号）をデジタル復調器９によってベースバンドのデジタル受信情報に復調する。
【００４０】
更に、デジタル復調器９の受信チャンネルのデジタル受信情報をデマルチプレクサ１０に送り、該デマルチプレクサ１０の周知のＭＰＥＧ２の分離処理により、前記デジタル受信情報の多重化されている映像、音声、付加情報を個別のストリーム（トランスポートストリーム；ＴＳ）、すなわち、ビデオストリーム、オーディオストリーム、データストリームに分離する。
【００４１】
そして、ビデオストリームは本発明のビデオデコーダ１１に転送し、オーディオストリームはオーディオデコーダ１２に転送し、データストリームはデータデコーダ１３に転送する。
【００４２】
各デコーダ１１〜１３は、デジタルチューナ８、デジタル復調器９、デマルチプレクサ１０等と同様、ＡＳＩＣ（専用集積回路）又はマイクロコンピュータのソフトウエア処理によって形成され、データデコーダ１３はデータストリームの付加情報をデコードして主制御部２に送る。
【００４３】
主制御部２は付加情報からオーディオストリームの音声情報、データストリームの映像情報の再生タイミングの時間情報や再生順序の情報等を検出し、これらの情報に基づいてビデオデコーダ１１、オーディオデコーダ１２のデコード処理を制御する。
【００４４】
そして、ビデオデコーダ１１は例えば図２に示すように構成され、図１の主制御部２によって制御されるビデオ制御部１１ａが内部の動作を制御し、この制御により、入力されたビデオストリームの映像を、オーディオデコーダ１２のオーディオストリームからの音声のデコードと同期をとってデコード処理する。
【００４５】
ところで、映像のビデオストリームは上述したようにＧＯＰを単位として配信され、各ＧＯＰはＩピクチャ、Ｂピクチャ、Ｐピクチャと呼ばれる３種類のフレームを含み、ビデオデ制御部１１ａは各ピクチャのフレームに含有されるピクチャヘッダから、ビデオストリームの各フレームの種類（Ｉピクチャ、Ｐピクチャ、Ｂピクチャ）を判別する。
【００４６】
尚、上記３種類のフレームは毎秒およそ３０枚（ワンセグ放送なら毎秒およそ１５枚）の映像信号フレームを構成する圧縮された映像のデジタル情報である。そして、Ｉピクチャのフレームは０．５秒（ワンセグなら１秒）に１枚の割合で含有され、他の２種類のフレーム（Ｐピクチャ、Ｂピクチャのフレーム）とは異なり、単独で映像データにデコードすることが可能である。又、Ｂピクチャのフレームはデコードに際して前、後（過去、未来）のフレームの両方から映像の動きを予測して補償する必要があり、Ｐピクチャのフレームはデコードに際して前（過去）のフレームから映像の動きを予測して補償する必要がある。
【００４７】
そして、前記フレームの種類の判別に基づき、通常は、ビデオ制御部１１ａの通常デコード処理の制御に基づき、各ピクチャのフレームに図２の可変長復号部１１ｂの可変長復号、逆スキャン部１１ｃの逆スキャン、逆量子化部１１ｄの逆量子化、逆ＤＴＣ部１１ｅの逆離散コサイン変換を施す。
【００４８】
このとき、Ｉピクチャのフレームについては、逆ＤＴＣ部１１ｅの逆離散コサイン変換を施すことで当該フレームを単独でデコード処理してデジタルの映像データを復号することができ、デコードした映像データを加算器１１ｆから後段のビデオＤ／Ａ変換器（以下Ｄ／Ａ変換器をＤＡＣという）１４に出力すると共に、フレームメモリ１１ｇに書き換え自在に蓄積保持する。
【００４９】
又、Ｐピクチャ、Ｂピクチャのフレームについては、逆ＤＴＣ部１１ｅの逆離散コサイン変換を施した後、フレームメモリ１１ｇから読み出した前、後のフレーム又は前のフレームのデータに基づく動き補償部１１ｈの補償データを加算器１１ｆで加算し、動き補償を施してデジタルの映像データをデコードし、デコードした映像データを加算器１１ｆからビデオＤＡＣ１４に出力すると共に、フレームメモリ１１ｇに書き換え自在に蓄積保持する。
【００５０】
そして、ビデオデコーダ１１によりデコードした受信チャンネルのデジタルの映像データをビデオＤＡＣ１４によりアナログの映像信号に変換し、この映像信号により画面表示装置としての例えば液晶ディスプレイ１５を駆動し、該液晶ディスプレイ１５に受信チャンネルのデジタル放送を画面表示する。
【００５１】
又、オーディオデコーダ１２は入力されたオーディオストリームからデジタルの音声データをデコードし、デコードした音声データを後段のオーディオＤＡＣ１６に送り、該オーディオＤＡＣ１６により前記音声データをアナログの音声信号に変換し、この音声信号によってスピーカ装置１７を駆動して受信チャンネルのデジタル放送を音声出力する。
【００５２】
（ビデオデコーダ１１の省電力動作の構成）
ところで、ビデオデコーダ１１によって無条件に受信番組のＩピクチャ、Ｂピクチャ、Ｐピクチャのフレーム全てをデコードし続けると、スポーツ番組等の動きの多い番組等についても良好に画面表示することができるが、反面、デコード処理の電力消費が多く、バッテリ電源１の残存容量での使用可能な時間は短くなる。
【００５３】
そこで、本実施形態においては、バッテリ電源１の残存容量で少しでも長くデコード処理を行なって映像表示を継続するため、ビデオデコーダ１１は次に説明する省電力動作の構成に形成される。
【００５４】
すなわち、ビデオデコーダ１１は、バッテリ電源１の残存容量がジャンル別に応じて設定されたしきい値以下に低下したときにフレームを間引いたデコード処理に切り替わり、省電力動作を行なう。
【００５５】
この場合、バッテリ電源１の使用可能な時間を極力長くする省電力動作の通常のデコード処理と、バッテリ電源１の残存容量でのデコード処理が少なくとも放送残り時間続くようにフレームの間引き条件を設定する放送残り時間に合わせたデコード処理とのいずれか一方の機能を備えてもよいが、本実施形態の場合、前記通常のデコード処理の機能と、前記放送残り時間に合わせたデコード処理の機能との両方の機能を備え、ユーザの選択（設定）によって、両デコード処理を選択的に実施する。
【００５６】
そのため、ビデオデコーダ１１は、バッテリ電源１の時々刻々変化する残存容量を監視する残存容量監視手段と、受信番組のジャンルを認識するジャンル認識手段と、バッテリ電源１の残存容量のジャンル別のしきい値が設定され、受信番組の前記残存容量がジャンル認識手段が認識したジャンルのしきい値以下になるときに省電力動作に制御する動作切り替え手段と、省電力動作の制御により受信番組をフレームを間引いてデコード処理するデコード制御手段とを備える。
【００５７】
そして、ジャンル別の前記しきい値は、制御、処理の簡素化等を図るためにジャンル毎に少なくとも１個設定すればよく、本実施形態の場合、バッテリ電源１の残存容量の低下にしたがってデコード処理のフレームの間引きを段階に切り替えて大きくし、省電力効果を極力高めるため、ジャンル毎にそれぞれ複数個、具体的には２個Α、Β（α＜β）設定する。
【００５８】
又、前記動作切り替え手段は、バッテリ電源１の残存容量が受信番組のジャンルのしきい値α、βに低下するに伴ってデコード制御手段のフレームの間引きの程度をステップ状に大きくするように、省電力動作に制御する。
【００５９】
更に、前記デコード制御手段は、前記動作切り替え手段の省電力動作の制御により、通常のデコード処理の場合は受信番組のジャンルに応じた間引き条件で受信番組の映像のフレームをデコード処理し、放送残り時間に合わせたデコード処理の場合は受信番組の放送残り時間とバッテリ電源１の残存容量とに基づき、前記残存容量で少なくとも放送残り時間デコード処理が続く間引き条件で受信番組の映像のフレームをデコード処理する。
【００６０】
上記各手段を備えるため、ビデオデコーダ１１には、前記残存容量監視手段を形成する残存容量監視部１１ｉ、フレーム間引き条件を書き換え自在に保持するフレーム間引き条件保持部１１ｊ、ジャンル毎の各しきい値を書き換え自在に保持するしきい値保持部１１ｋ、しきい値保持部１１ｋの各しきい値にバッテリ電源１の充電毎の充電容量に応じた自動の補正を施すしきい値補正処理部１１ｌが設けられ、ビデオ制御部１１ａのソフトウエア処理によって前記ジャンル認識手段、前記動作切り替え手段、前記デコード制御手段等が形成される。
【００６１】
そして、ビデオ制御部１１ａは、電源スイッチ３がオンして給電動作状態（電源オン）になると、図３の主制御プログラムを実行し、ステップＡ１〜Ａ４により、しきい値保持部１１ｋのジャンル別のしきい値の設定（変更）、フレーム間引き条件保持部１１ｊのジャンル別のフレーム間引き条件の設定（変更）、放送残り時間に合わせたデコード処理、通常のデコード処理のいずれを行なうかを判別する。
【００６２】
＜通常のデコード処理＞
そして、ユーザが図１の操作部６のキー操作によって前記しきい値や前記フレーム間引き条件の設定（変更）を選択せず、又、放送残り時間に合わせたデコード処理も選択しない通常は、省電力動作の通常のデコード処理に設定され、ステップＡ４を肯定（ＹＥＳ）で通過してステップＡ５の通常のデコード処理を実行する。
【００６３】
この通常のデコード処理は図４のステップＢ１〜Ｂ１１からなり、操作部６の受信選局操作で選局された番組の受信が開始され、ビデオデコーダ１１に受信番組のビットストリームが入力され始めると、ステップＢ１からステップＢ２に移行する。
【００６４】
そして、ステップＢ２において、ビデオ制御部１１ａのジャンル認識手段は、例えば主制御部２を介して入力されたデータストリームヘッダに含まれるＥＩＴ情報（テーブルのコンテント記述子に示された番組ジャンル情報)から受信中の現在の番組のジャンル（種類）を認識する。尚、電子番組表（ＥＰＧ）の当該番組の番組タイトルに含まれた各ジャンルのキーワードから当該番組のジャンルを認識してもよく、この場合は、各ジャンル及びそれらのキーワードが予め設定されてＥＰＧから検索される。ジャンルの具体例としては「スポーツ」、「ドラマ」、「バラエティ」、「映画」、「音楽」、「天気予報」、「ニュース」等があり、キーワードの具体例としては、例えば「スポーツ」について、「野球」、「サッカー」、「レース」、「ゴルフ」等が設定され、「ドラマ」について、「サスペンス」、「劇場」等が設定される。
【００６５】
更に、ステップＢ２からステップＢ３に移行し、ビデオ制御部１１ａの動作切り替え手段がステップＢ２で認識したジャンルの基本のデコード処理を開始する。
【００６６】
該基本のデコード処理は、簡単には、ジャンルに無関係にＩ、Ｐ、Ｂの全てのピクチャのフレームを間引きすることなくデコードする標準デコード処理であってもよいが、バッテリ電源１を少しでも長寿命にするため、画面表示の重要度を考慮してジャンル毎に予め設定され、具体的には、動きが少なく画面表示の重要度が低いジャンル程、デコード処理するフレームを間引いた処理に設定され、「ニュース」や「天気予報」等の静止画又は静止画に近いジャンルについては、例えばＩピクチャのフレームのみを２、３枚に１枚又は２、３秒に１枚デコードするコマ送り表示の処理に設定され、残りの「スポーツ」等は標準デコード処理に設定される。
【００６７】
次に、ステップＢ４に移行し、ビデオ制御部１１ａの動作切り替え手段は認識したジャンルの省電力動作のしきい値α、βをしきい値保持部１１ｋから読み出す。
【００６８】
しきい値保持部１１ｋの各ジャンルのしきい値α、βは、バッテリ電源１の残存容量の多少によってデコード処理をより省電力の処理に切り替えるか否かの判別基準値であり、製造時等に初期設定されるが、後述する充電時の自動補正、ユーザ等の書き換え操作の手動補正によって変更することも可能である。
【００６９】
又、ステップＢ４からステップＢ５に移行し、ビデオ制御部１１ａの動作切り替え手段は認識したジャンルの省電力動作のフレーム間引き条件をフレーム間引き条件保持部１１ｊから読み出す。
【００７０】
フレーム間引き条件保持部１１ｊの各ジャンルのしきい値α、βに対するフレーム間引き条件は、デコード処理のジャンル別の電力消費と番組の動きの重要性等を考慮して製造時等に初期設定され、ユーザが書き換えて変更することも可能である。
【００７１】
そして、本実施形態の場合、初期設定状態においては、しきい値αに対するフレーム間引き条件は、ジャンルに応じて、Ｉピクチャのフレームのみを、全て、或いは、２、３枚又は２、３秒に１枚デコードしてコマ送り表示する省電力１の条件であり、しきい値βに対するフレーム間引き条件は、ジャンルに応じて、Ｉピクチャのフレームのみを５、６枚又は５、６秒に１枚デコードする準静止画表示か、或いは、全てのピクチャーの全てのフレームのデコード処理を停止して映像をオフする省電力２の条件である。
【００７２】
次に、ステップＢ６に移行し、残存容量監視部１１ｉは図１の主制御部２を介して伝送入力されたバッテリ残量チェッカ１８の残存容量（電力量）Ｗｘに基づいてバッテリ電源１の使用中は時々刻々の残存容量Ｗｘの変化を監視する。尚、回路部４に設けたバッテリ残量チェッカ１８は例えばバッテリ電源１の電流を監視して残存容量Ｗｘを検出する。
【００７３】
次に、ステップＢ７に移行し、ビデオ制御部１１ａの動作切り替え手段は残存容量Ｗｘとしきい値α、βとの大小比較を行う。
【００７４】
そして、α＜Ｗｘであってバッテリ電源１の残存容量Ｗｘがそのジャンルの十分な電力量になる間は、ステップＢ７からステップＢ８に移行して現在の基本デコードの処理を維持する。
【００７５】
又、バッテリ電源１の残存容量Ｗｘがα≧Ｗｘ＞Βに低下すると、ステップＢ７からステップＢ９に移行して省電力１のデコード処理に切り替える。
【００７６】
更に、バッテリ電源１の残存容量ＷｘがＷｘ≦βに更に低下すると、ステップＢ７からステップＢ１０に移行して省電力２のデコード処理に切り替える。
【００７７】
尚、ステップＢ８の基本デコード処理の一例である基準デコード処理は、図５のステップＣ１〜Ｃ４からなり、上述したようにＩピクチャ、Ｐピクチャ、Ｂピクチャのフレーム全てをデコードする。その結果、受信番組がそのジャンルの画面表示の重要度を考慮した標準のデコード処理が施されて極めて良好に表示される。
【００７８】
又、ステップＢ９の省電力１のデコード処理の一例であるＩフレームデコード処理は、図６のステップＤ１〜Ｄ５からなり、ステップＤ１によりＩピクチャのフレームを選択し、更に、ステップＤ２により、ジャンルに応じてＩピクチャのフレームの全て或いは、２、３枚に１枚又は２、３秒に１枚抽出する。
【００７９】
そして、抽出した（制限された）Ｉピクチャのフレームにつき、ステップＤ３によりデコード処理を実行し、ステップＤ４によりＩピクチャのデコードしたデジタルの映像データをフレームメモリ１１ｇに書き換え自在に格納し、ステップＤ５によりその映像データをビデオＤＡＣ１４に出力する。
【００８０】
その結果、バッテリ電源１の残存容量Ｗｘがα≧Ｗｘ＞Βに低下すると、認識されたジャンルに応じて、画面表示の重要度を考慮しつつ適当に映像のフレームを間引くように設定されたた省電力１のデコード処理に切り替え、コマ送り表示等に切り替えてバッテリ電源１の使用可能な時間を長くすることができる。
【００８１】
更に、バッテリ電源１の残存容量Ｗｘ≦βに低下すると、さらに間引きの大きな省電力２のデコード処理に切り替え、準静止画表示或いは画面表示のオフに切り替えてバッテリ電源１の使用可能な時間を更に長くすることができる。
【００８２】
尚、主なジャンルのしきい値α、βの具体例を、充電時の充電量を残存容量１００％として説明すると、「天気予報」や「ニュース」の場合はα＝７０％、β＝５０％であり、「バラエティ」の場合はα＝４０％、α＝１０％であり、「ドラマ」の場合はα＝３０％、β＝１０％であり、「スポーツ」の場合はαは省略し、β＝１０％である。
【００８３】
すなわち、「ニュース」の場合は音声だけでも十分内容が理解できる可能性が高く、他のジャンルと比べると映像の重要性が低いため、しきい値α、βは高く設定する。「バラエティ」、「ドラマ」の場合はある程度動きのある映像が必要で映像の重要性が高いため、しきい値α、βは比較的低く設定する。「スポーツ」の場合は省電力１の動作でコマ送りの表示を行なっても却って音声とのずれが生じて理解しにくくなるため、しきい値αは設定せず、しきい値βのみを設定してコマ送りの画面表示は行なわないようにする。
【００８４】
そして、番組受信中はステップＢ８〜Ｂ１０からステップＢ１１を介してステップＢ６に戻り、バッテリ電源１の残存容量Ｗｘを監視しつつ受信番組をデコード処理する。
【００８５】
＜しきい値α、βの設定（変更）＞
Ａ：充電時の自動の設定変更
ところで、バッテリ電源１がリチューム電池等の２次電池電源の場合、充放電の繰り返しによって充電時の充電量が次第に定格の満充電量から低下することは知られている。
【００８６】
一方、しきい値α、βは前記定格の満充電量に基づいて初期設定される。
【００８７】
そのため、しきい値α、βを初期設定のままにしておくと、バッテリ電源１の充電量の低下にしたがって、標準から省電力１、省電力１から省電力２への切り替えタイミングが早まり、ユーザの不満を招来する虞がある。
【００８８】
そこで、本実施形態の場合、充電を行なう毎に、図３のステップＡ１からステップＡ６に移行し、しきい値補正処理部１１ｌにより、例えばバッテリ電源１の定格の満充電量に対する充電終了直後の充電量の割合に応じて、所定の補正式の演算又は設定された対応表データから、各ジャンルの補正したしきい値α、βを求め、しきい値保持部１１ｋの各ジャンルのしきい値α、βを書き換えて自動的に低減補正して修正する。
【００８９】
Ｂ：手動の設定変更
又、しきい値α、βはユーザ等が好み等に基づいて調整したい場合もある。
【００９０】
そこで、本実施形態の場合、図１の操作部６のキー操作によってしきい値Α、Βの設定（変更）、すなわち書き換えを選択すると、このときも図３のステップＡ１からステップＡ６に移行し、操作部６の操作によってもしきい値保持部１１ｋの各ジャンルのしきい値α、βを好み等に応じて自在に書き換えることができる。
【００９１】
＜前記フレーム間引き条件の設定（変更）＞
各ジャンルの省電力１、２のフレームの間引き条件は、製造時等にフレーム間引き条件保持部１１ｊに初期設定されるが、この条件についても、ユーザ等が好み等に基づいて調整したい場合がある。
【００９２】
そこで、本実施形態の場合、図１の操作部６のキー操作によってフレーム間引き条件の書き換えを選択すると、図３のステップＡ２からステップＡ７に移行し、操作部６の操作によってフレーム間引き条件保持部１１ｊの各ジャンルのフレーム間引き条件を好み等に応じて自在に書き換えることができる。
【００９３】
＜放送残り時間に合わせたデコード処理＞
次に、ユーザが図１の操作部６のキー操作によって前記放送残り時間に合わせたデコード処理を選択すると、図３のステップＡ３からステップＡ８に移行し、ビデオ制御部１１ａのデコード制御手段が放送残り時間に合わせた省電力制御を実行し、ビデオデコーダ１１が放送残り時間に合わせたデコード処理を行なう。
【００９４】
この放送残り時間に合わせたデコード処理は図７のステップＥ１〜Ｅ８からなり、操作部６の受信選局操作で選局された番組の受信が開始され、ビデオデコーダ１１に受信番組のビットストリームが入力され始めると、ステップＥ１からステップＥ２に移行する。
【００９５】
そして、ステップＥ２において、図４のステップＢ２と同様にしてビデオ制御部１１ａのジャンル認識手段が受信中の現在の番組のジャンル（種類）を認識する。
【００９６】
更に、ステップＥ２からステップＥ３に移行し、ビデオ制御部１１ａの動作切り替え手段がステップＢ２で認識したジャンルの基本のデコード処理を開始する。
【００９７】
次に、ステップＥ４に移行し、ビデオ制御部１１ａのデコード制御手段が受信情報から得た番組終了時刻と現在時刻とから、当該受信番組の放送残り時時間Ｔｒを認識し、ステップＥ５により、バッテリ電源１の現在の残存容量Ｗｘを認識する。
【００９８】
更に、ステップＥ６により、例えば、残存容量Ｗｘで時間Ｔａのデコード処理が継続可能な単位時間当たりの電力消費を認識し、予め設定された電力消費とフレームの間引き条件の組合せのデータから、該当するフレームの間引き条件を決定する。尚、Ｔａ＝Ｔｒ＋Δ（Δは所定の余裕時間）である。
【００９９】
そして、ステップＥ７、Ｅ８により決定したフレームの間引き条件の省電力動作の制御を実行し、その間引き条件のでコード処理に切り替える。尚、基本のデコード処理によって時間Ｔａ以上の時間のデコード処理が可能なときは、基本のデコード処理を継続する。
【０１００】
したがって、バッテリ電源１の残存容量Ｗｘが少ないときにも、少なくとも受信番組の放送終了まではデコード処理を継続することができる。
【０１０１】
尚、上記の両省電力動作のデコード処理の間には、液晶ディスプレイ１５のバックライトの光量を落としたり、スピーカ装置１７の音量を小さくしたりして、バッテリ電源１の電力消費を更に一層低減することが好ましいのは勿論である。
【０１０２】
以上説明したように、前記実施形態の場合、通常のデコード処理により受信番組の画面表示の重要度を考慮したデコード処理の省電力制御を施し、バッテリ電源の使用可能な時間（寿命）を極力長くすることができる。又、放送残り時間に合わせたデコード処理によりバッテリ電源１の残存容量が少ないときにも、少なくとも受信番組の放送終了まではデコード処理を継続することができる。
【０１０３】
更に、ジャンル毎に複数個のしきい値α、βを設定し、バッテリ電源１の残存容量の低下にしたがってデコード処理の間引きの程度を変更して大きくするため、より一層効果的にバッテリ電源１の使用可能な時間（寿命）を長くすることができる。
【０１０４】
又、各ジャンルのしきい値α、βをユーザ等が自由に設定することができるため、例えば、上述した一般的な動画の各ジャンルについて、ユーザがバッテリ電源の寿命又は表示画面の動きの状態を優先して前記しきい値を増減調整等することができる。しかも、受信番組のジャンルに応じてフレームの間引き条件を可変設定し、受信番組のデコードするフレームの間引き方をジャンル毎に個別に設定し、デコード処理性能を一層向上することができる。
【０１０５】
更に、バッテリ電源１がリチューム電池やニッケル水素電池のような二次電池電源の場合に、ジャンル別のしきい値をバッテリ電源１の充放電の繰り返しに伴う充電量の減少に連動して低減修正し、前記充電量の減少に連動して省電力動作のデコード処理に切り替わるときのバッテリ電源の残存容量も減少し、画面表示可能な時間が不用意に短くなったりせず、特に、画面表示の重要度が大きい受信番組のデコード処理性能が低下することがない利点がある。
【０１０６】
そして、それらの効果を奏する省電力構成の新規な携帯型デジタル放送受信機を提供することができる。
【０１０７】
尚、デコード処理が切り替り、液晶ディスプレイ１５の画面表示の状態が変化するため、ユーザ等はビデオデコーダ１１のモードの切り換わりを通してバッテリ電源１の状態を認識することができ、オンスクリーン表示（ＯＳＤ）などによってバッテリ電源１の状態を報知する特別な構成を備えることなく、バッテリ電源１の状態を使用者に認識させることができる利点も有る。
【０１０８】
ところで、バッテリ電源１の残存容量が極めて少なくなると、ビデオデコーダ１１を実質的に停止し、映像は見ることはできなくなるが、電力消費の少ない音声出力によって番組内容を長時間にわたって把握できるようにしてもよい。
【０１０９】
又、図３の携帯型デジタル放送受信機において、液晶ディスプレイ１５に代えて、ＣＲＴやプラズマディスプレイを備える場合にも同様の効果が得られるのは勿論である。
【０１１０】
そして、本発明は上記した実施形態に限定されるものではなく、その趣旨を逸脱しない範囲において上述したもの以外に種々の変形実施を行なうことが可能であり、例えば、ビデオデコーダ１１において、デコード処理するフレーム構成が、ＭＰＥＧ２と異なる規格の構成であってもよいのは勿論である。
【０１１１】
又、分類して認識するジャンルの数や種類等は、実験等に基づいて適当に設定すればよい。更に、バッテリ電源１は１次電池の電源であってもよい。
【０１１２】
そして、本発明は、種々のデジタルテレビ放送のビデオデコーダ及び携帯型のデジタル放送受信機に適用することができ、その際、処理の手順やしきい値の個数等は前記実施形態と異なっていてもよいのは勿論である。
【図面の簡単な説明】
【０１１３】
【図１】本発明の一実施形態の携帯型デジタル放送受信機のブロック図である。
【図２】同上、携帯型デジタル放送受信機のビデオデコーダの詳細なブロック図である。
【図３】同上、携帯型デジタル放送受信機のビデオデコーダの動作説明用の第１のフローチャートである。
【図４】同上、携帯型デジタル放送受信機のビデオデコーダの通常のデコード処理説明用の第２のフローチャートである。
【図５】同上、携帯型デジタル放送受信機のビデオデコーダの通常のデコード処理説明用の第３のフローチャートである。
【図６】同上、携帯型デジタル放送受信機のビデオデコーダのIフレームデコード処理説明用の第４のフローチャートである。
【図７】同上、携帯型デジタル放送受信機のビデオデコーダの放送時間に合わせたデコード処理説明用の第５のフローチャートである。
【符号の説明】
【０１１４】
１    バッテリ電源
２    主制御部
１１    ビデオデコーダ
１１ａ    ビデオ制御部
１１ｉ    残存容量監視部
１１ｊ    フレーム間引き条件保持部
１１ｋ    しきい値保持部
１１ｌ    しきい値補正処理部
１８    バッテリ残量チェッカ
【図１】
2008124646.tif 000003
【図２】
2008124646.tif 000004
【図３】
2008124646.tif 000005
【図４】
2008124646.tif 000006
【図５】
2008124646.tif 000007
【図６】
2008124646.tif 000008
【図７】
2008124646.tif 000009